(57)【要約】【課題】  不用意な照明手段の点灯を確実に防止することのできる内視鏡装置を提供する。【解決手段】  観察対象を映す観察光学系と、観察対象に光を照射する照明手段であるＬＥＤと、このＬＥＤを点灯させる点灯回路５０７と、ＬＥＤの点灯と消灯を操作する操作インターフェイスである照明スイッチ１３２ｃと、を設ける。このような内視鏡装置において、さらに、点灯回路５０７を開閉可能な開閉スイッチ５０６と、その開閉スイッチ５０６を強制的に開くスイッチ無効制御部５０９とを設ける。【選択図】  図１１
2006055323.tif 000002
【特許請求の範囲】
【請求項１】
観察対象を映す観察光学系と、
観察対象に光を照射する照明手段と、
この照明手段を点灯させる点灯回路と、
前記照明手段の点灯と消灯を操作する操作インターフェイスと、
を備えた内視鏡装置において、
前記操作インターフェイスによる前記照明手段の点灯を無効にする点灯無効手段を設けたことを特徴とする内視鏡装置。
【請求項２】
前記点灯無効手段は、前記点灯回路を開閉可能な開閉スイッチと、その開閉スイッチを強制的に開くスイッチ無効制御部と、を備えて成ることを特徴とする請求項１に記載の内視鏡装置。
【請求項３】
前記操作インターフェイスからの入力信号に応じて前記点灯回路を制御する回路制御部を設けると共に、
この回路制御部における前記操作インターフェイスからの入力信号を無効にする無効信号発信部を設け、
この無効信号発信部を前記点灯無効手段としたことを特徴とする請求項１に記載の内視鏡装置。
【発明の詳細な説明】
【技術分野】
【０００１】
本発明は、照明手段の点灯、消灯を制御できる内視鏡装置に関する。
【背景技術】
【０００２】
医療分野や工業分野で用いられる内視鏡装置には、観察対象を映す観察光学系と共に、観察対象に光を照射する照明手段を備えたものがある。
この種の内視鏡装置は、通常、電源用のメインスイッチの他に照明手段を点灯、消灯するための照明スイッチ（操作インターフェイス）が設けられ、観察時に必要に応じて照明手段を点灯し得るようになっている（特許文献１参照）。
【特許文献１】特開平５−５８４４号公報
【発明の開示】
【発明が解決しようとする課題】
【０００３】
しかし、上記従来の内視鏡装置は、作業者が必要に応じて照明スイッチで点灯と消灯を操作する構造となっているため、内視鏡装置の用途によっては、不注意や誤操作による点灯が使用目的上好ましくない場合がある。
【０００４】
そこで、本発明は、不用意な照明手段の点灯を確実に防止することのできる内視鏡装置を提供しようとするものである。
【課題を解決するための手段】
【０００５】
上記課題を解決するため、本発明は、観察対象を映す観察光学系と、観察対象に光を照射する照明手段と、この照明手段を点灯させる点灯回路と、前記照明手段の点灯と消灯を操作する操作インターフェイスと、を備えた内視鏡装置において、前記操作インターフェイスによる前記照明手段の点灯を無効にする点灯無効手段を設けるようにした。
本発明の場合、点灯無効手段によって操作インターフェイスによる照明手段の点灯を無効にすることができるため、点灯無効手段を適切にセットしておきさえすれば、操作インターフェイスが点灯方向に操作されても点灯手段の点灯は阻止される。
【０００６】
前記点灯無効手段は、例えば、前記点灯回路を開閉可能な開閉スイッチと、その開閉スイッチを強制的に開くスイッチ無効制御部と、を備えた構成とすれば良い。この場合、スイッチ無効制御部によって点灯回路が開かれると、操作インターフェイスの操作に拘わらず照明手段が消灯状態に維持される。
【０００７】
また、前記操作インターフェイスからの入力信号に応じて前記点灯回路を制御する回路制御部を設けると共に、この回路制御部における前記操作インターフェイスからの入力信号を無効にする無効信号発信部を設け、この無効信号発信部を前記点灯無効手段としても良い。この場合、無効信号発信部から無効信号が発されると、操作インターフェイスからの入力信号が無効にされ、操作インターフェイスの操作に拘わらず照明手段が消灯状態に維持される。
【発明の効果】
【０００８】
本発明は、点灯無効手段を適切にセットしておけば、操作インターフェイスの操作に拘わらず照明手段が消灯状態に維持されるため、照明手段の不用意な点灯を確実に防止することができる。
【発明を実施するための最良の形態】
【０００９】
以下、本発明に係る内視鏡装置の一実施形態を図１から図１１を参照しながら説明する。
【００１０】
図１及び図２に示すように本実施形態の内視鏡装置１は、挿入部２０の先端部２１に固体撮像素子としての電荷結合素子（以下、ＣＣＤと略記）１１１（観察光学系）を内蔵した内視鏡２と、内蔵バッテリー８９ｂ、ＣＣＤ１１１の駆動及びこのＣＣＤ１１１から出力される画像信号から映像信号の生成を行う画像処理部１３０、この画像処理部１３０から出力される映像信号を受けて内視鏡画像を表示する表示装置であるモニタ３を備えた装置本体４とで主に構成されている。
【００１１】
前記内視鏡２は、細長で可撓性を有する挿入部２０と、この挿入部２０の基端部に連設される操作部２４と、この操作部２４から延出する可撓性を有するユニバーサルコード２６とで主に構成されている。このユニバーサルコード２６内には、前記ＣＣＤ１１１の駆動制御信号或いはこのＣＣＤ１１１で光電変換した画像信号の伝送を行う後述する信号ケーブル等が挿通している。また、先端部２１には、照明光の光源として白色の発光ダイオード（以下、ＬＥＤと略す）１０９（照明手段）が設けられ、このＬＥＤ１０９から延出する電線を挿入部２０の内部に挿通させる構成となっている。また、ユニバーサルコード２６は、操作部２４の把持部２５の後端部から延出して装置本体４に電気的に接続されている。
【００１２】
前記挿入部２０は、先端側から順に硬性な先端部２１、湾曲駒を連接して例えば上下／左右方向に湾曲するように構成した湾曲部２２、柔軟性を有する可撓管部２３を連設して構成されている。前記先端部２１の先端面には図示は省略するが、観察窓、照明窓等が設けられている。
【００１３】
前記装置本体４の側壁の所定位置には、この装置本体４を作業者が身につける際に使用する肩ベルト４ａ、腰ベルト４ｂが設けられている。なお、装置本体４の側壁上部には、図３に示すように、あまった挿入部２０を簡易的に固定する挿入部バンド４ｃが取り付けられている。
【００１４】
前記操作部２４には、前記挿入部２０の挿入軸と異なる軸を有する把持部２５が設けられている。この把持部２５の基端部からは前記ユニバーサルコード２６が延出している。
この把持部２５の先端側には前記湾曲部２２を湾曲動作させる操作指示手段である湾曲操作指示レバー（以下、湾曲レバーと略記する）３１が突出して設けられている。
【００１５】
前記湾曲レバー３１は、傾倒方向及び傾倒角度を変化させる傾倒操作を行うことによって、牽引部材を移動させて前記湾曲部２２を所望の方向に所望の湾曲量だけ湾曲させるようになっている。そして、図に示すように前記湾曲レバー３１を直立状態にしたとき、前記湾曲部２２が直線状態になる構成になっている。
【００１６】
次に、図４から図７を参照して装置本体４とモニタ３との関係を説明する。
図４に示すように前記装置本体４に配置されているモニタ３は、図の矢印に示すように回動するように構成されている。このモニタ３からは画像ケーブル３ａが延出している。この画像ケーブル３ａは装置本体４の一側面に設けられているモニタ用コネクタ（図示略）に接続されるようになっている。なお、モニタ３の上部には、比較的柔らかい材質、例えば軟性のプラスチック板等で形成されたフード３ｂが回動可能に取り付けられている。このフード３ｂは、少なくともモニタ３の液晶画面が見えるように水平状態から斜め上方の所定位置まで開いて任意の位置を保持可能とされている。
【００１７】
この装置本体４の側面の所定位置には、図１に示すように、前記内視鏡２が配置されるフック受け８０が設けられている。このため、作業者がこの装置本体４を身につけた状態で、前記フック受け８０に内視鏡２の操作部２４を配置することによって、この操作部２４を装置本体４に取り付けた状態で作業を行える。なお、装置本体４の一方の側面には、フック受け８０の下方にユニバーサルコード２６のあまり部分を引っ掛けて固定するコード引っ掛け部４ｄが設けられている。また、装置本体４の他方の側面には、図４に示すように、後述する外部バッテリーケースを取り付けた際に用いるDC-INコネクタ４ｅが設けられており、該DC-INコネクタ４ｅはコネクタ防水ゴム４ｆによりカバーされている。このコネクタ−防水ゴム４ｆには、上部に庇部４ｇが形成されており、上方からの水等が入りにくい構造となっている。
【００１８】
図５に示すようにモニタ３は、図示しないヒンジ部を介して装置本体４に取り付けられている取付けプレート８５に中間台座８５ａを介して固定されている。この中間台座８５ａは、取付けプレート８５の凹部８５ｂにはめ込まれた状態でネジ８５ｃで固定され、さらにこの中間台座８５ａ上のネジ８５ｄでモニタ３を固定することにより、図６に示すように、モニタ３を折り畳んだ際にでっばり部分を無くすことができる。
【００１９】
また、モニタ３は、図示しないヒンジ部に設けられたクリック機構により、装置本体４に対して所定の傾倒角度で保持固定できる構成になっている。
【００２０】
なお、前記取付けプレート８５の裏側には、図７に示すように、挿入部２０の先端部に取り付ける光学アダプタＯＡを収納可能で開閉可能な蓋部８５ｅを有するアダプタ収納部８５ｆが設けられている。
【００２１】
前記装置本体４の上面８７ａには前記操作部２４に設けられている各操作スイッチと同様の機能を有する各種スイッチ８８ａ，…，８８ａや、後述するＰＣカード収容部に収容されたＰＣカード内のファイルを表示させたり、削除する機能を有するスイッチ（図示略）を設けたスイッチ部８８が設けられている。
【００２２】
図８から図９において、符号８９ａはＰＣカード収容部、符号８９ｂは内蔵バッテリー、符号８９ｃはメインスイッチ、符号８９ｄはバッテリー収容部、符号８９ｅは収容扉である。この収容扉８９ｅの内側には、図８に示すように、開けた状態で内蔵バッテリー８９ｂを引き出す際又は内蔵バッテリー８９ｂが滑って出てきた際に内蔵バッテリー８９ｂが一旦当接して落下を防止する係止部８９ｆが設けられている。なお、図９に示すように、収容扉８９ｅは、バッテリー収容部８９ｄよりも大きく開くので、内蔵バッテリー８９ｂを装置本体４内に挿入、設置する場合に、係止部８９ｆが邪魔になることはない。
【００２３】
前記バッテリー収容部８９ｄ内には、図１０に示すように、内蔵バッテリー８９ｂの有無を検出するバッテリー検出機構１４６が設けられている。該バッテリー検出機構１４６はマイクロスイッチとなっており、内蔵バッテリー８９ｂがバッテリー収容部８９ｄから取り出されるとＯＦＦとなり、システム制御部１２３（図２参照。）に内蔵バッテリー８９ｂが入っていないことを意味する信号を送信する。そして、この信号情報により、システム制御部１２３が、内蔵バッテリー８９ｂの取り外しを検知し、サイレントモードに切り換える。逆に、内蔵バッテリー８９ｂをバッテリー収容部８９ｄ内に挿入して取り付けるとバッテリー検出機構１４６が内蔵バッテリー８９ｂに押されてＯＮになり、システム制御部１２３によりサイレントモードが解除されて通常モードに切り換わる。
【００２４】
また、バッテリー収容部８９ｄ内には、システム制御部１２３によるサイレントモードへの切り換えの有効又は無効を手動で切り換え可能な切り換えスイッチ１３２ａと、ＬＥＤ１０９（図２参照。）の後述するＬＥＤ操作無効スイッチ１３２ｂとが設けられている。また、ＬＥＤ１０９の点灯と消灯を行うメインの照明スイッチ１３２ｃ（この発明における操作インターフェイス。図１１参照。）は操作し易い別の部位に設けられている。
【００２５】
＜画像処理＞
次に、本実施形態の画像処理系統及びその動作を、図２を参照して説明する。
被写体は、挿入部２０の先端部に配置された対物レンズ１００による結像位置に配置された、ＣＣＤ１１１に結像され、光電変換される。このＣＣＤ１１１に接続される複合同軸ケーブル１１４は、ＣＣＤ駆動部１２９及び画像処理部１３０に接続される。画像処理部１３０には、同軸ケーブル１３１が接続され、その先には表示装置のモニタ３が接続されている。
【００２６】
ＣＣＤ駆動部１２９は、ＣＣＤ１１１を駆動するための信号を、複合同軸ケーブル１１４を通して、ＣＣＤ１１１に出力する。ＣＣＤ１１１は、受け取ったＣＣＤ駆動信号に基づくタイミングで光電変換を行う。ＣＣＤ１１１に光電変換された信号は、複合同軸ケーブル１１４を通して画像処理部１３０に伝送される。画像処理部１３０はシステム制御部（出力制御部）１２３とケーブル１２８を通して通信を行い、システム制御部１２３はユーザインターフェース（１）１２０（例えば、図７のスイッチ部８８）からの入力（ＺＯＯＭのＵＰ／ＤＯＷＮ信号、ＦＲＥＥＺ信号等）をケーブル１２１を通して受け取り、ＺＯＯＭ、ＦＲＥＥＺ等の指示を出し、その指示に従って各処理を行う。画像処理部１３０にて処理された画像は、同軸ケーブル１３１を通してモニタ３に伝送され出画される。
【００２７】
一方、記録再生部１３７は、システム制御部１２３とケーブル１３６を通して通信を行っており、システム制御部１２３の指示に従って、画像の記録及び記録した画像の再生を行う。そのときの画像処理部１３０との画像の伝送はケーブル１３８にて行う。記録再生部１３７にはＰＣカード等の記録媒体１４０を接続することが可能で、画像処理部１３０からケーブル１３８を通して受け取った画像を、伝送路１３９を通して記録媒体１４０に蓄積することが可能である。また、記録媒体１４０に蓄積された画像を、伝送路１３９を通して読み出し、ケーブル１３８を通して画像処理部１３０に画像を伝送し、同軸ケーブル１３１を通してモニタ３に記録画像を出画することが可能である。以上の動作により記録再生部１３７は、画像の記録・再生を行う。
尚、ＬＥＤ１０９は、観察対象の撮影中、必要に応じてスイッチ操作によって適宜点灯される。
＜電源供給＞
次に、本実施形態の電源供給系統について説明する。
電源供給回路１４２は、ケーブル１４１を通してシステム制御部１２３と接続されている。また、電源供給回路１４２は、ケーブル１４３を通して内蔵バッテリー８９ｂと、ケーブル１４５を通してバッテリー検出機構１４６（図１０も参照。）と、ケーブル１４７を通してＡＣアダプタ１４８と、ケーブル１４９を通してファン１５０とそれぞれ接続されている。電源供給回路１４２は、内蔵バッテリー８９ｂからケーブル１４３を通して電圧を得て、内部供給電圧を作り出す。同様に、ＡＣアダプタ１４８からケーブル１４７を通して電圧を得て、内部供給電圧を作り出す。内部供給電圧を作り出す際、内蔵バッテリー８９ｂとＡＣアダプタ１４８との出力は、ダイオードにより結合されているため、電圧の高い方が優先される。そして、その他の図示しないケーブルにより、各ユニットへの電源供給を行う。バッテリー検出機構１４６は、内蔵バッテリー８９ｂの有無を確認し、その情報をケーブル１４５、電源供給回路１４２、ケーブル１４１を通してシステム制御部１２３に伝送する。ファン１５０は、電源供給回路１４２よりケーブル１４９を通して供給された電圧により駆動し、装置本体４下部の電源部内を冷却する。
【００２８】
ユーザインターフェース（２）１３２（図１０における切り換えスイッチ１３２ａ、ＬＥＤ操作無効スイッチ１３２ｂ）は、ケーブル１３３を通してシステム制御部１２３と接続されている。デフォルト設定部１３４は、ケーブル１３５を通してシステム制御部１２３に接続されている。
また、湾曲装置３０は、ユニバーサルケーブル２６内を通るケーブル１２２によりシステム制御部１２３と接続され、湾曲用モータ（図示せず。）はシステム制御部１２３によって制御される。
【００２９】
＜ＬＥＤ制御＞
次に、本実施形態のＬＥＤ制御系について説明する。
挿入部２０の先端部に配置された照明用のＬＥＤ１０９は、ケーブル１１３を通してＬＥＤ制御部１２７と接続されている。ＬＥＤ制御部１２７はケーブル１２６にてシステム制御部１２３と接続されている。システム制御部１２３は、ユーザインターフェース（２）１３２の一部である照明スイッチ１３２ｃ（図１１参照。）からの入力をケーブル１３３を通して受け取り、ＬＥＤ制御部１２７を制御することが可能である。
【００３０】
ここで、ＬＥＤ制御系についてさらに説明すると、この制御系は図１１に示すような機能ブロックによって主として構成されている。即ち、ＬＥＤ制御系は、ＬＥＤ１０９を含む点灯回路５０７と、その点灯回路５０７を開閉する開閉スイッチ５０６と、前記ＬＥＤ制御部の一部を成す開閉スイッチ制御部５０３と、ＬＥＤ１０９の点灯と消灯を切り換える照明スイッチ１３２ｃ（操作インターフェイス）と、ユーザーインターフェィス（２）１３２の一部を成すＬＥＤ操作無効スイッチ１３２ｂと、このＬＥＤ操作無効スイッチ１３２ｂの操作によって開閉スイッチ５０６を強制的に開くスイッチ無効制御部５０９と、から構成されている。この実施形態においては、開閉スイッチ５０６とスイッチ無効制御部５０９が本発明における点灯無効手段を構成している。
【００３１】
ＬＥＤ１０９を消灯してこの内視鏡装置１を使用する場合には、照明スイッチ１３２ｃをオフにしておくのとは別にＬＥＤ操作無効スイッチ１３２ｂを操作無効側に切換えておく。このようにＬＥＤ操作無効スイッチ１３２ｂが無効側に切り換えられると、その後には照明スイッチ１３２ｃの操作に拘わらずＬＥＤ１０９は消灯状態に維持される。したがって、作業者が不注意や誤操作によって照明スイッチ１３２ｃに触れてしまうことがあっても、ＬＥＤ１０９の点灯は確実に回避することができる。
【００３２】
つづいて、図１２に示す本発明の他の実施形態について説明する。
この実施形態の内視鏡装置は、基本的な構成は上述の実施形態とほぼ同様であるが、操作インターフェイスである照明スイッチ１３２ｃと、点灯回路５０７を制御する回路制御部であるＬＥＤ制御部１２７との間に、照明スイッチ１３２ｃに連動するＯＮ信号発信部５１２を設けられると共に、ＬＥＤ操作無効スイッチ１３２ｂとＬＥＤ制御部１２７の間に、ＬＥＤ操作無効スイッチ１３２ｂに連動してＬＥＤ制御部１２７での照明スイッチ１３２ｃ側から入力信号を無効にする無効信号発信部５１８が設けられ、この無効信号発信部５１８によって点灯無効手段が構成されている。
【００３３】
この実施形態の場合、ＬＥＤ操作無効スイッチ１３１ｂが操作されないとき（無効信号発信部５１８を作動させないとき）には、照明スイッチ１３２ｃのオン操作によってＯＮ信号発信部５１２からＬＥＤ制御部１２７にＬＥＤオン信号が入力され、このときＬＥＤ制御部１２７によって点灯回路５０７が制御される結果、ＬＥＤ１０９が点灯する。一方、ＬＥＤ操作無効スイッチ１３２ｂが操作されると、ＯＮ信号発信部５１２からＬＥＤ制御部１２７にＬＥＤオン信号が入力されても、その信号が無効信号発信部５１８からの無効信号によって無効にされる結果、点灯回路５０７の点灯制御が行われなくなる。したがって、この場合も、照明スイッチ１３２ｃの操作に拘わらずＬＥＤ１０９は消灯状態に維持される。
なお、本発明の技術範囲は上記実施の形態に限定されるものではなく、本発明の趣旨を逸脱しない範囲において種々の変更を加えることが可能である。
【図面の簡単な説明】
【００３４】
【図１】本発明に係る一実施形態の内視鏡装置を示す斜視図である。
【図２】本実施形態の内視鏡装置における電気的接続系統を示すブロック図である。
【図３】本実施形態の内視鏡装置を装着して使用している状態を示す説明図である。
【図４】本実施形態の内視鏡装置において装置本体を示す斜視図である。
【図５】本実施形態の内視鏡装置において装置本体とモニタとの取り付け構造を説明する分解図である。
【図６】本実施形態の内視鏡装置において外部バッテリーケースを装着した装置本体を示す斜視図である。
【図７】本実施形態の内視鏡装置において光学アダプタ収納部を示す要部斜視図である。
【図８】本実施形態の内視鏡装置において内蔵バッテリーの取り出しを説明する要部斜視図である。
【図９】本実施形態の内視鏡装置において内蔵バッテリーの取り付けを説明する要部斜視図である。
【図１０】本実施形態の内視鏡装置においてバッテリー収容部内を示す外装取り外し状態の要部斜視図である。
【図１１】本実施形態のＬＥＤ制御系の概略構成を示す機能ブロック図。
【図１２】本発明に係る他の実施形態を示すものであり、ＬＥＤ制御系の概略構成を示す機能ブロック図。
【符号の説明】
【００３５】
１０９  ＬＥＤ（照明手段）
１１１  ＣＣＤ（観察光学系）
１２７  ＬＥＤ制御部
１３２ｃ  照明スイッチ（操作インターフェイス）
５０６  開閉スイッチ（点灯無効手段）
５０７  点灯回路
５０９  スイッチ無効制御部（点灯無効手段）
５１８  無効信号発信部（点灯無効手段）
【図１】
2006055323.tif 000003
【図２】
2006055323.tif 000004
【図３】
2006055323.tif 000005
【図４】
2006055323.tif 000006
【図５】
2006055323.tif 000007
【図６】
2006055323.tif 000008
【図７】
2006055323.tif 000009
【図８】
2006055323.tif 000010
【図９】
2006055323.tif 000011
【図１０】
2006055323.tif 000012
【図１１】
2006055323.tif 000013
【図１２】
2006055323.tif 000014